(57)【要約】【課題】携帯型無線通信機のスピーカモードとレシーバモードで音声出力装置を共用するとともに、各モードでの出力周波数特性を可変として聞きとり易くする。【手段】周波数特性が可変制御可能な周波数特性切替手段１４を音声出力装置１５の前段に設け、通信モード判別信号Ｍがスピーカ／レシーバのいずれのモードを示しているかに応じて、各モードで聞きとり易い音声出力周波数特性が得られるように切替手段１４を制御する。【選択図】　　　　図１
2004129112.tif 000002
【特許請求の範囲】
【請求項１】
音声通信が可能で、ユーザが音声を聞くためのスピーカモードとレシーバモードを備えた携帯型無線通信機であって、
スピーカモードとレシーバモードの双方で１つの音声出力装置を共用するとともに、その音声出力装置への入力音声信号の周波数特性をスピーカモードかレシーバモードかに応じて切替えるための周波数特性切替手段を設けた携帯型無線通信機。
【発明の詳細な説明】
【０００１】
【発明の属する技術分野】
本発明は、音声通信を行う携帯型無線通信機に係り、とくに受信音声をレシーバモードとスピーカモードのいずれかを選択して出力できるようにした携帯型無線通信機に関する。
【０００２】
【従来の技術】
音声通信を行う携帯型無線通信機には携帯電話機やトランシーバがあり、携帯電話機においては、使用者が受話部を耳に当て音声を聞く電話モードと、受話部から大きな音声を出力し耳を離して聞くハンズフリーモードの２種類の音声出力モードを有するものがある。また、業務用などの携帯型無線通信機（トランシーバ）においても、プレストーク送受話方式（単信）と同時送受話方式（複信）の二つのモードを有するものが一般的となっており、複信では使用者が受話部を耳に当て音声を聞くレシーバモードであり、単信では受話部から大きな音声を出力し耳を離して聞くスピーカモードとして使用する。
【０００３】
図４は、従来の携帯型無線通信機受話系の構成例で、スピーカモード時に音声を出力する音声出力装置（スピーカ）４４とレシーバモード時に音声を出力する音声出力装置（レシーバ）４５が設けられている。アンテナ４１から入力された受信波は受信部４２で受信、復調処理され、音声信号は音声処理部４３に送られる。この音声信号はスピーカモードの時に音声出力装置４４から出力され、またレシーバモード時には別に設けられた音声出力装置４５から出力される。多くの携帯型無線通信機ではこのように各モード対応に音声出力装置が設けられているが、１つの音声出力装置を各モードで共用する構成の携帯型無線通信機もある。
【０００４】
【発明が解決しようとする課題】
スピーカモードでは音声出力装置から出力された音声振動は空間に広く伝播して耳に達するが、レシーバモードでは音声出力装置から出力された音声振動は狭い耳口内に直接入ってくる。このため、音声振動のレベルをレシーバモードではスピーカモードに比べて充分小さくすると同時に、音声振動の伝播路特性の違いから、音声出力装置から出力される音声信号の出力周波数スペクトルもそれぞれのモードに適したものとすることで聞きとり易さがよくなる。この聞きとり易さという点を考えると、各モードごとに別の音声出力装置を設けた図４のような構成では、音声出力装置自体の周波数特性や音声処理部４３の音声出力装置４４、４５への各出力増幅器の周波数特性を調整することで、各モードごとの好ましい出力周波数特性を実現できる。一方、音声出力装置を各モードで共用するようにした構成では、何らかの対策を講じないとモード対応の出力周波数特性が同じになってしまう。しかし、図４のような構成は２つの音声出力装置を設けることから、１つの音声出力装置を共用する構成と比べると小型化、省スペース化、低価格化という点では不利である。
【０００５】
本発明の目的は、スピーカモードとレシーバモードで１つの音声出力装置を共用した構成において、各モードで望ましい音声出力周波数特性をもたせるようにした携帯型無線通信機を提供することにある。
【０００６】
【課題を解決するための手段】
本発明は、音声通信が可能で、ユーザが音声を聞くためのスピーカモードとレシーバモードを備えた携帯型無線通信機であって、
スピーカモードとレシーバモードの双方で１つの音声出力装置を共用するとともに、その音声出力装置への入力音声信号の周波数特性をスピーカモードかレシーバモードかに応じて切替えるための周波数特性切替手段を設けた携帯型無線通信機を開示する。
【０００７】
【発明の実施の形態】
以下、本発明の実施の形態を説明する。図１は、本発明の携帯型無線通信機の受信系構成例を示すブロック図で、周波数特性切替手段１４が設けられているのが特徴である。アンテナ１１から入力された受信波は受信部１２で受信、復調処理され、音声信号は音声処理・制御部１３に送られる。音声処理・制御部１３では通信モードがレシーバモードかスピーカモードかによって、また使用者によって設定された音声出力レベル等によって、音声信号の増幅、レベル調整等を行う。最終的に音声信号はスピーカ等の音声出力装置１５から無線機外部に出力されるが、本発明では音声出力装置１５に入力される音声信号を音声出力装置１５に入力する前に、音声処理・制御部１３からのレシーバモード又はスピーカモードであるかの通信モード判別信号Ｍによって、周波数特性を切替えられるような周波数特性切替手段１４に通すことにより、レシーバモードとスピーカモードで異なる周波数特性を持たせることを可能にするものである。
【０００８】
図２は、周波数特性切替手段１４の構成例を示すもので、多重帰還型ローパスフィルタにアナログスイッチ２１、コンデンサ２２、２３を付加し、アナログスイッチ２１を制御することで周波数特性を切替えられるように構成されている。図３は、この図２の回路の周波数特性（振巾特性）の例を示したもので、コンデンサ２２、２３の容量をＣ１、Ｃ２として、Ｒ１＝１０ｋΩ、Ｒ２＝６８ｋΩ、Ｒ３＝４．７ｋΩ、Ｃ１＝０．０１μＦ、Ｃ２＝１０００ｐＦとした場合で、縦軸は振巾利得（ｄＢ）、横軸は周波数を示している。曲線ＳＰで示す振巾特性はアナログスイッチ２１をオフとしたときに得られ、曲線ＲＥで示した振巾特性はアナログスイッチ２１をオンとしたときに得られる。
【０００９】
そこでいま、音声出力装置１５の周波数特性がほぼ音声帯域でフラットな特性とすると、スピーカモードのときはフラットな特性が好ましいので、判別信号Ｍがスピーカモードを示しているときにはアナログスイッチ２１をオフとし、またレシーバモードのときは音声帯域高域部が強調された曲線ＲＥのような特性が好ましいので、判別信号Ｍがレシーバモードを示しているときにはアナログスイッチ２１をオンするように制御する。このようにすることで、１つの音声出力装置をスピーカ／レシーバの両モードで共用した小型省スペース化、低価格化が可能な構成でも、両モードのそれぞれで好ましい音声出力の周波数特性を実現することができる。
【００１０】
なお、スピーカモード、レシーバモードのいずれについても、ユーザが聞きとり易い周波数特性は、使用環境や使用する音声出力装置、無線機の筐体の音響特性などによって異なってくるが、周波数特性切替手段をこれらの条件を考慮したものとすることで容易に対応可能である。
【００１１】
【発明の効果】
ユーザが受話部を耳に当て音声を聞くレシーバモード及び受話部から大きな音声を出力し耳を離して聞くスピーカモードのどちらのモードにおいても共通の音声出力装置を使用することにより、無線機の小型化、省スペース化、低コスト化が可能でかつ、スピーカモード、レシーバモードのいずれか、あるいは両方で音声出力部の周波数特性を変えることにより、それぞれのモードに適した周波数特性を設定することができる。
【図面の簡単な説明】
【図１】本発明の携帯型無線通信機の受信系構成例を示すブロック図である。
【図２】周波数特性切替手段の構成例を示す回路図である。
【図３】図２の回路の振巾特性例である。
【図４】従来の携帯型無線通信機の受信系構成例を示すブロック図である。
【符号の説明】
１３　音声処理・制御部
１４　周波数特性切替手段
１５　音声出力装置
２１　アナログスイッチ
２２、２３　コンデンサ
【図１】
2004129112.tif 000003
【図２】
2004129112.tif 000004
【図３】
2004129112.tif 000005
【図４】
2004129112.tif 000006